(57)【要約】【課題】  異なる配光特性が容易に形成されるランプ装置およびこのランプ装置を用いた照明器具を提供する。【解決手段】  ランプ装置１は、一端側２３ａに開口部２６および他端側２３ｂに平板部２７を有する筒状の筐体２３と、平板部２７の中央部から他端側に突出形成された筒状の突出体２４と、突出体２４の内側に連通する平板部２７内側に形成された挿通部２５を有する装置本体４と、放射光が筐体２３の開口部２６から出射するように突出体２４内に配設された発光体２と、発光体２に正対するように配設され、電圧値によって焦点距離が可変されるレンズ３と、発光体２に電力を供給するように形成された電源装置６と、電源装置６からレンズ３に電圧印加させる電気接続手段７を具備している。【選択図】図３
2012216306.tif 000002
【特許請求の範囲】
【請求項１】
一端側に開口部および他端側に平板部を有する筒状の筐体、前記平板部の中央部から他端側に突出形成された筒状の突出体およびこの突出体の内側に連通する前記平板部内側に形成された挿通部を有する装置本体と；
放射光が前記筐体の開口部から出射するように前記突出体内に配設された発光体と；
この発光体に正対するように配設され、電圧値によって焦点距離が可変されるレンズと；
前記筐体内に配設され、前記発光体に電力を供給するように形成された電源装置と；
この電源装置から前記レンズに電圧印加させる電気接続手段と；
を具備していることを特徴とするランプ装置。
【請求項２】
電気接続手段は、前記装置本体の筐体の外周面側に配設されていることを特徴とする請求項１記載のランプ装置。
【請求項３】
請求項１または２記載のランプ装置と；
このランプ装置が接続されるソケットを有する器具本体と；
を具備していることを特徴とする照明器具。
【発明の詳細な説明】
【技術分野】
【０００１】
本発明の実施形態は、発光体の放射光が制御されるランプ装置およびこのランプ装置を用いた照明器具に関する。
【背景技術】
【０００２】
従来、フラット形のランプ装置として、ＧＸ５３形の口金を用いたランプ装置が提供されている。そして、ランプ装置には、ランプ装置から出射される光を制光体によって狭角配光にし、ダウンライトやスポットライトに適した配光としているものがある（例えば特許文献１参照。）。この従来技術のランプ装置は、一対のランプピンが設けられた環状の当接面およびこの当接面の中央側から一面側に突出した突出部を有し、この突出部の頂部側内壁面にＬＥＤが実装されたモジュール基板が配置され、少なくとも他面側からＬＥＤの光が出射する扁平なランプ装置本体（筐体）を備えていて、円筒状の反射面部を有する制光体がランプ装置本体に対して他面側方向に配設されている。
【０００３】
すなわち、モジュール基板は、ＬＥＤがランプ装置の中心に位置するように、基板の接触面が前記突出部の頂部側内壁面に面接触して熱的に接触した状態に固定されている。これにより、ＬＥＤが発生する熱を突出部から照明器具の器具本体に熱伝導させて放熱している。そして、ＬＥＤを点灯する点灯装置は、ランプ装置本体と制光体の反射面部の外周面との間の環状の空間部分に収納配置されている。
【先行技術文献】
【特許文献】
【０００４】
【特許文献１】特開２０１０−２６２７８１号公報（第５頁、第１図）
【発明の概要】
【発明が解決しようとする課題】
【０００５】
モジュール基板が突出部の頂部側内壁面に配置されている場合、制光体や筐体の開口部に配設される光拡散性カバーなどにより、狭角配光や広角配光などが形成されるので、それらの配光に応じた部材が必要であり、部品点数やランプ装置の機種の管理を必要としていた。また、ユーザーは、ランプ装置の設置空間の広さや高さなどの使用環境が異なる都度、その使用環境に応じたランプ装置を選択せざるを得なかった。
【０００６】
本発明の実施形態は、異なる配光特性が容易に形成されるランプ装置およびこのランプ装置を用いた照明器具を提供することを目的とする。
【課題を解決するための手段】
【０００７】
実施形態のランプ装置は、装置本体、発光体、レンズ、電源装置および電気接続手段を具備して構成される。
【０００８】
装置本体は、筐体、突出体および挿通部を有して形成される。筐体は、一端側に開口部および他端側に平板部を有する筒状に形成される。突出体は、平板部の中央部から他端側に筒状に突出形成される。挿通部は、突出体の内側に連通するように平板部内側に形成される。
【０００９】
発光体は、その放射光が装置本体の筐体の開口部から出射するように突出体内に配設される。
【００１０】
レンズは、電圧値によって焦点距離が可変されるものであり、発光体に正対するように配設される。
【００１１】
電源装置は、発光体に電力を供給するように形成される。そして、装置本体の筐体内に配設される。
【００１２】
電気接続手段は、電源装置からレンズに電圧印加させるものである。
【発明の効果】
【００１３】
本発明の実施形態によれば、電圧接続手段によりレンズに電圧が印加され、その電圧値によってレンズの焦点距離が可変されるので、発光体の放射光のレンズからの出射方向が可変されることになり、レンズへの電圧印加の有無によって狭角配光や広角配光などの異なる配光が形成できる。
【図面の簡単な説明】
【００１４】
【図１】本発明の第１の実施形態を示すランプ装置の概略正面図である。
【図２】同じく、ランプ装置を示し、（ａ）は概略上面図、（ｂ）は概略下面図である。
【図３】同じく、ランプ装置の概略正面断面図である。
【図４】同じく、レンズの特性変化を示す説明図であり、（ａ）は電圧印加が無いときの説明図、（ｂ）は電圧印加時の説明図である。
【図５】本発明の第２の実施形態を示す照明器具の概略斜視図である。
【図６】同じく、照明器具の一部切り欠き概略正面図である。
【発明を実施するための形態】
【００１５】
以下、本発明の一実施の形態について、図面を参照して説明する。まず、本発明の第１の実施形態について説明する。
【００１６】
本実施形態のランプ装置１は、図１ないし図３に示すように構成される。図３において、ランプ装置１は、発光体２、レンズ３、装置本体４、反射体５、電源装置６および電気接続手段７を備えている。
【００１７】
発光体２は、平板状の基板８、この基板８の一面８ａに複数個が設けられたＬＥＤベアチップ９およびＬＥＤベアチップ９を覆う封止樹脂１０を有して形成されている。基板８は、例えばアルミニウム（Ａｌ）板からなり、略長方形状に形成されて、一面８ａに図示しない絶縁層を介してＬＥＤベアチップ９を実装し、図示しない配線パターンを形成している。ＬＥＤベアチップ９は、配線パターンにより直列接続されている。また、基板８の一面８ａには、コネクタ１１が配設されており、このコネクタ１１に電源装置６の出力コード１２が接続されている。
【００１８】
ＬＥＤベアチップ９は、平板状の基板８の一面８ａに実装されることにより、平面状に設けられているとともに、その複数個が例えばマトリックス状に実装されている。ＬＥＤベアチップ９は、例えば青色光を放射する。そして、基板８の一面８ａには、複数個のＬＥＤベアチップ９を包囲して、例えばシリコーン樹脂の土手１３が長方形状に形成されている。この土手１３の内側に封止樹脂１０が充填されて、ＬＥＤベアチップ９が埋められている。封止樹脂１０の外表面は、平坦状に形成されている。
【００１９】
封止樹脂１０は、透光性の例えばシリコーン樹脂であり、黄色蛍光体１４が混入されている。黄色蛍光体１４は、ＬＥＤベアチップ９から放射された青色光が入射されると、青色光を黄色光に波長変換する。この黄色光と、ＬＥＤベアチップ９から放射された青色光が封止樹脂１０の外表面から出射し混色（混光）することにより、発光体２から白色光が放射される。封止樹脂８の外表面は、発光体２の発光面となっている。
【００２０】
レンズ３は、印加される電圧値によって焦点距離が可変される液体レンズであり、発光体２に正対するように設けられている。発光体２の基板８には、支持部材１５が例えば接着材により固着されている。レンズ３は、支持部材１５に嵌め込まれるようにして取り付けられている。そして、リード線１６により電源装置６に接続されており、電源装置６から電圧が印加される。
【００２１】
図４に示すように、レンズ３は、円形状の透明ガラス１７，１７間が封止部材１８により封止された容器１９内に油２０および水溶液２１が封入されている。そして、封止部材１８には、一対の電極２２ａ，２２ｂが設けられている。この電極２２ａ，２２ｂにそれぞれリード線１６が接続されている。一対の電極２２ａ，２２ｂに電圧が印加されていないときは、図４（ａ）に示すように、容器１９内の油２０および水溶液２１の境界面は、ほぼ平面となっている。
【００２２】
そして、一対の電極２２ａ，２２ｂに電圧が印加されると、図４（ｂ）に示すように、油２０および水溶液２１の境界面の形状が変化し、その境界面がレンズとなる。また、電圧値の変化によって、油２０および水溶液２１の静電力が変化し、この静電力の変化によって境界面が変化して、焦点距離が可変するものである。したがって、レンズ３に電圧を印加することにより、発光体２の放射光は、レンズ３により屈折されてレンズ３から放射される。さらに、電圧値が変化されることにより、油２０および水溶液２１の境界面の形状が変化されてレンズ３からの出射方向が可変される。本実施形態では、レンズ３に電圧を印加することにより、発光体２の放射光を装置本体４の開口部２６の中心側（後述の保護カバー４４の中心４４ｃ側）に集光させる。レンズ３としては、仏Ｖａｎｏｐｔｉｃ社製の液体レンズを用いることができる。
【００２３】
装置本体４は、筐体２３、突出体２４および挿通部２５を有して形成されている。筐体２３および突出体２４は、合成樹脂例えばポリブチレンテレフタレート（ＰＢＴ）樹脂により一体に形成されている。
【００２４】
筐体２３は、一端側２３ａに開口部２６および他端側２３ｂに平板部２７を有する円筒状に形成されている。突出体２４は、平板部２７の中央部から他端側（外方）に略円筒状に突出形成されている。挿通部２５は、平板部２７内側に円形状に形成され、突出体２４の内側に連通している。そして、平板部２７の上面２７ａには、突出体２４に隣接する一対のランプピン２８，２８（図中、一方のみを示す。）が配設されている。
【００２５】
また、突出体２４の上面には、例えばアルミダイキャストによって成型された放熱部材２９が取り付けられている。放熱部材２９は、挿通部２５に対向するように設けられている。放熱部材２９の内面２９ｂ側には、肉厚であって直方体形状の取付部３０が突出形成されている。この取付部３０に発光体２が図示しない絶縁材を介して図示しないねじにより面接触して取り付けられている。
【００２６】
そして、取付部３０から放熱部材２９の外周縁に向かって略直方体の固定部３１が形成されている。この固定部３１の先端には、キー部３２が設けられている。また、固定部３１には、ねじ孔３３が設けられている。固定部３１は、図２（ａ）に示すように、放熱部材２９の中心２９ｃに対して１２０°間隔で３個形成されている。
【００２７】
図３に示すように、平板部２７の上面２７ａには、段付きの貫通孔３４を有する円柱状のダボ３５が固定部３１に当接するように突出形成されている。そして、平板部２７の下面２７ｂから貫通孔３４に挿入されたねじ３６が固定部３１のねじ孔３３に螺着されている。これにより、放熱部材２９は、突出体２４に取り付けられている。突出体２４は、固定部３１に対応する部位が切り欠きされている。
【００２８】
そして、放熱部材２９は、突出体２４の外周面よりも当該外周面の法線方向に若干突出し、さらにキー部３２が突出している。放熱部材２９は、突出体２４を略密閉する。キー部３２は、ランプ装置１が取り付けられるソケットのキー溝に挿入されて取り付けられる。
【００２９】
なお、放熱部材２９の上面２９ａには、図示しない放熱シートが配設される。放熱部材２９のねじ孔３３は、放熱シートにより、上面２９ａ側が閉じられる。
【００３０】
一対のランプピン２８，２８は、金属製であり、その頂部側が略半球状に形成された略円筒状に形成され、突出体２４に隣接するとともに、平板部２７の上面２７ａから上方に突出するように設けられている。そして、ランプピン２８，２８は、電源装置６の回路基板３７に設けられた電源入力端子３８，３８（図中、一方のみを示す。）に対応して設けられ、電源装置６が装置本体４の筐体２３内に収納されたときに、電源入力端子３８，３８の近傍に位置する部位に設けられている。
【００３１】
平板部２７の下面２７ｂには、下方に小さい突出長で突出する図示しない貫通孔を有するダボ３９が一対形成されている。このダボ３９にランプピン２８が圧入されて取り付けられている。ランプピン２８は、電源入力端子３８に接続されているリード線４０を挿通して、その頂部側でリード線４０をはんだ付けしている。こうして、一対のランプピン２８，２８は、電源装置６の一対の電源入力端子３８，３８に電気接続されている。
【００３２】
また、平板部２７の下面２７ｂには、挿通部２５の周回において、下方に小さく突出する筒状の突出部４１が形成されている。挿通部２５は、回路基板３７の円形状の中央開口４２よりも若干小さくなるように形成されている。そして、突出部４１には、電源装置６の出力コード１２およびリード線１６が挿通される図示しない切り欠き部が設けられている。
【００３３】
図１に示すように、筐体２３の平板部２７側の外周面には、放熱面積を増加させるために、三角形状の凹部４３が一定の間隔で形成されている。
【００３４】
図３において、装置本体４の筐体２３の開口部２６には、保護カバー４４が配設されている。保護カバー４４は、透光性を有する例えばポリカーボネート（ＰＣ）樹脂にて成型されている。その外面４４ａは、平面であって円形状に形成されている。その内面４４ｂには、開口部２６の内面２６ｂに沿う起立体４５が断続的に複数設けられている。その起立体４５には、係止爪４６が設けられたものがあり、係止爪４６が開口部２６の内面２６ｂに形成された係止溝４７に係止される。これにより、保護カバー４４は、装置本体４の開口部２６に取り付けられている。そして、保護カバー４４は、装置本体３内をほぼ閉塞するように取り付けられている。
【００３５】
そして、保護カバー４４の外面４４ａの周縁側には、直方体状の指掛け部４８，４８が突出形成されている。図２（ｂ）に示すように、指掛け部４８，４８は、１８０°回転対称に設けられている。また、外面４４ａの周縁側には、照明器具への装着位置を表示する三角形のマーク４９が設けられている。
【００３６】
図３において、反射体５は、装置本体４内に配設されている。反射体５は、例えばアルミダイキャストにより成型され、一端側５ａから他端側５ｂに向かうにつれ連続的にかつ段階的に径小する円錐台状の筒状であって、一端側５ａに円形状のフランジ部５０を形成している。反射体５は、一端側５ａに円形状の一端側開口５１、他端側５ｂに円形状の他端側開口５２を有し、その内面５ｄは反射面に形成されている。
【００３７】
反射体５は、他端側５ｂが電源装置６の回路基板３７の中央開口４２を挿通するとともに突出体２４に挿入されている。そして、カバー４４が筐体２３の開口部２６に取り付けられることにより、他端側開口５２側にレンズ３が収容され、一端側開口５１が開口部２６に位置し、フランジ部５０がカバー４４の内面４４ｂに接している。
【００３８】
電源装置６は、回路基板３７およびこの回路基板３７に実装された点灯回路部品５３等により形成される点灯回路５４を有して形成されている。回路基板３７は、例えばガラスエポキシ材からなり、略円形状に形成されているとともに、その中央部に図示しない切り欠き部を有する円形状の中央開口４２が設けられている。この中央開口４２周りの一面３７ａに抵抗Ｒ１，Ｒ２、コンデンサＣ１、トランスＴ１など、多種類かつ多数の電子部品等からなる点灯回路部品４３を実装している。また、回路基板３７の他面３７ｂは、点灯回路部品５３のはんだ面になっているとともに、スイッチング素子Ｑ１などの小型の面実装部品を実装している。
【００３９】
また、回路基板３７からは、出力コード１２およびリード線１６が導出されて、それぞれ発光体２のコネクタ１１およびレンズ３の電極２２ａ，２２ｂに接続している。また、回路基板３７は、リード線５５により電気接続手段のスイッチ７に接続されている。
【００４０】
点灯回路部品５３および回路基板３７に形成された図示しない配線パターンにより、点灯回路５４が形成されている。この点灯回路５４は、外部の交流電源を直流電源に変換し、発光体２のＬＥＤベアチップ９に電力を供給する既知の構成により形成され、さらにレンズ３に所定の電圧値を印加するように形成されている。そして、回路基板３７は、その中央開口４２が筐体２３の平板部２７に形成された突出部４１（挿通部２５）に正対するようにして、平板部２７の内側であって挿通部２５周りに配設されている。すなわち、電源装置６は、その回路基板３７が突出部４１および反射体５に挟まれて、装置本体４の平板部２７および反射体５の間に配設されている。
【００４１】
電気接続手段７は、本実施形態では切替え操作部を有するスイッチが用いられている。スイッチ７は、リード線５５を介して電源装置５の点灯回路５４に接続されている。そして、スイッチ７がオンすることにより、点灯回路５４から所定の電圧値の電圧をレンズ３の電極２２ａ，２２ｂに印加させる。スイッチ７がオフしているときは、レンズ３に電圧が印加されなくしている。そして、スイッチ７は、例えば平板部２７側の筐体２３の外周面２３ｃに露出するように配設されている。スイッチ７は、小型のドライバーなどの操作具を用いてオンオフ可能に配設されている。
【００４２】
次に、第１の実施形態の作用について述べる。
【００４３】
装置本体４の突出体２４が図示しないソケット装置の挿通部に挿入され、一対のランプピン２８，２８がソケット装置の接続孔に挿入されて、装置本体４が回動されることにより、一対のランプピン２８，２８がソケット装置の一対の受金に電気接続される。これにより、電源装置６は、ソケット装置を介して外部電源が供給可能となる。
【００４４】
なお、突出体２４をソケット装置の挿通部に挿入するときに、保護カバー４４のマーク４９が照明器具またはソケット装置に設けられる位置合わせマークに合わされる。そして、放熱部材２９のキー部３２は、突出体２４がソケット装置の挿通部に挿入されたときに、ソケット装置のキー溝に挿入され、装置本体４が回動されたときに、キー溝に固定される。
【００４５】
外部電源が投入されると、電源装置６に一対のランプピン２８，２８およびリード線４０，４０を介して外部電源の交流電圧（例えばＡＣ１００Ｖ）が入力する。電源装置６は、その点灯回路５４が動作して、出力コード線１２を介して発光体２に電力を供給する。これにより、ＬＥＤベアチップ９は、点灯し、発光体２から白色光が放射される。
【００４６】
スイッチ７がオフされていると、発光体２の放射光は、レンズ３を通過し、一部の放射光が反射体５の内面５ｄで反射を繰り返しながら、一端側開口５１から保護カバー４４に入射し、保護カバー４４から広角配光で出射される。発光体２の放射光は、レンズ３を通過するとき、幾分屈折されるが、広角配光を形成する。
【００４７】
スイッチ７がオンされると、電源装置６の点灯回路５４から所定の電圧値の電圧がリード線１６を介してレンズ３の電極２２ａ，２２ｂに印加される。レンズ３は、その容器１９内の油２０および水溶液２１が移動し、油２０および水溶液２１の境界面に電圧値に応じたレンズを形成する。
【００４８】
容器１９内に入射した発光体２の放射光は、油２０および水溶液２１の境界面でレンズ３からの出射方向が可変されて、保護カバー４４の中心４４ｃ側に集光される。これにより、発光体２の放射光は、保護カバー４４から狭角配光で出射される。すなわち、発光体２の放射光は、スイッチ７のオンにより狭角配光を形成する。
【００４９】
また、ＬＥＤベアチップ９の点灯により、発光体２に熱が発生する。この熱は、装置本体４の突出体２４に取り付けられた放熱部材２９の取付部３０に伝熱される。そして、放熱部材２９から放熱部材２９に接触している照明器具の器具本体などに伝熱されて放熱される。放熱部材２９は、熱伝導性を有する金属例えばアルミニウム（Ａｌ）により形成されているとともに、発光体２が面接触して取り付けられているので、発光体２の発生熱は、迅速に熱伝導されてランプ装置１の外部に放出される。
【００５０】
本実施形態によれば、ランプ装置１は、電気接続手段７によりレンズ３に電圧が印加され、その電圧値によってレンズ３の焦点距離が可変されるので、発光体２の放射光のレンズ３からの出射方向が可変されることになり、レンズ３への電圧印加の有無によって狭角配光や広角配光などの異なる配光が形成できる。したがって、異なる配光を有するランプ装置１の機種を削減することができ、部品点数を少なくすることができて、製品管理が容易であるととともにランプ装置１を安価にできるという効果を有する。
【００５１】
また、電気接続手段としての切替え操作部を有するスイッチ７を装置本体４の筐体２３の外周面２３ｃ側に配設することにより、外部からスイッチ７のオンオフをすることができて、ランプ装置１の使用環境に応じた放射光の配光を自由に選択できるという効果を有する。
【００５２】
なお、本実施形態において、スイッチ７に替えて、電気接続手段としてリモコンセンサを配設し、電源装置６の点灯回路５４は、リモコン信号に応じてレンズ３に印加する電圧値を可変するようにしてもよい。これにより、レンズ３の容器１９内の油２０および水溶液２１の境界面の形状が電圧値に応じて変化する。すなわち、放射光の配光がリモコンで可変することができる。
【００５３】
また、本実施形態において、発光体２は、基板８を用いて形成したが、基板８を用いずに、ＬＥＤベアチップ９を放熱部材２９の取付部３０に設けるようにして形成してもよい。この場合、放熱部材２９は、金属であるので、取付部３０に絶縁層が形成され、この絶縁層上にＬＥＤベアチップ９などが実装される。
【００５４】
そして、装置本体４は、その平板部２７にランプピン２８，２８の他に調光ピンを設けてもよく、この調光ピンを点灯回路４３に接続して、発光体２のＬＥＤベアチップ９を調光点灯させるように形成してもよい。
【００５５】
次に、本発明の第２の実施形態について説明する。
【００５６】
第２の実施形態は、本発明の照明器具５６であり、図５および図６に示すように構成されている。なお、図１および図２と同一部分には、同一符号を付している。
【００５７】
照明器具５６は、天井等に埋設されるダウンライトである。図６において、照明器具５６は、ソケットとしてのソケット装置５７を有する器具本体５８および図１に示すランプ装置１を具備して構成されている。
【００５８】
器具本体５８は、アルミダイキャストによって成型され、下端側５８ａに開口部５９および外方に突出する環状のフランジ部６０を有し、上端側５８ｂに上端側５８ｂを閉塞するとともに平坦状に形成された上板部６１を有する略円筒状の箱体に形成されている。また、器具本体５８の外面５８ｃには、複数の放熱フィンを兼ねる補強片６２，６３などが形成されている。さらに、外面５８ｃの下端側５８ａには、フランジ部６０との間で天井等を挟持する一対の取付けばね６４，６４が設けられている。そして、器具本体５８の内面５８ｄは、例えば白色塗装により反射面に形成されている。
【００５９】
上板部６１の外面には、天板６５がねじ６６等により取り付けられている。天板６５は、図５に示すように、その下面６５ａに端子台６７を取り付けている。端子台６７には、外部電源からの図示しない電源線およびソケット装置５７に接続される図示しないリード線がそれぞれ接続されている。そして、器具本体５８の内面５８ｄには、ランプ装置１のマーク４９と位置合わせをするための三角形の位置合わせマーク６８が設けられている。
【００６０】
図６に示すように、上板部６１の内面には、ソケット装置５７が図示しないねじにより取り付けられている。ソケット装置５７は、装置本体４の突出体２４を装着する周知の構成で形成されている。そして、ソケット装置５７にランプ装置１が装着されている。ランプ装置１は、その突出体２４（図示しない。）がソケット装置５７の図示しない挿通部に挿入され、その一対のランプピン２８，２８（図示しない。）がソケット装置５７の図示しない一対の接続孔に挿入された後、回動されることにより、ソケット装置５７に固定されるとともに、一対のランプピン２８，２８がソケット装置５７の図示しない一対の受金に電気接続している。
【００６１】
照明器具５６は、端子台６７に外部電源が供給されると、ランプ装置１のＬＥＤベアチップ９（図示しない。）が点灯して発光体２（図示しない。）から白色光が放射され、当該白色光が保護カバー４４を透過する。白色光は、器具本体５８の開口部５９から外方に出射され、被照射面例えば床面を照明する。
【００６２】
照明器具５６は、スイッチ７のオンオフにより放射光の配光が制御されるランプ装置１を装着するので、使用環境に応じた配光で照明できるという効果を有する。
【符号の説明】
【００６３】
１…ランプ装置、  ２…発光体、  ３…レンズ、  ４…装置本体、  ６…電源装置、  ７…電気接続手段、  ２３…筐体、  ２４…突出体、２５…挿通部、  ２６…開口部、  ２７…平板部、  ５６…照明器具、  ５７…ソケット、  ５８…器具本体
【図１】
2012216306.tif 000003
【図２】
2012216306.tif 000004
【図３】
2012216306.tif 000005
【図４】
2012216306.tif 000006
【図５】
2012216306.tif 000007
【図６】
2012216306.tif 000008